(57)【特許請求の範囲】
【請求項１】
複数のバッテリセルが積層された下バッテリモジュールと、
複数のバッテリセルが積層された上バッテリモジュールと、
前記上バッテリモジュールと前記下バッテリモジュールとの間に位置するプレート部と、
前記下バッテリモジュールと電気的に接続される第１導電部と、
前記上バッテリモジュールと電気的に接続される第２導電部と、
前記第１導電部と前記第２導電部とを電気的に結合する結合部と、を備えるバッテリパックであって、
前記プレート部は、上下方向に貫通する開口部を有し、
上方から見て、前記結合部は、前記開口部の内側に位置し、
前記バッテリパックは、
前記下バッテリモジュールを収容する第１ケース本体と、該第１ケース本体の上方の開口部を覆う第１ケースカバーと、を備える第１ケースと、
前記第１ケースカバーの上方に設けられ、且つ、前記上バッテリモジュールを収容する第２ケースと、をさらに備え、
前記プレート部は、前記第１ケースカバーと前記第２ケースのボトムプレートとから構成されており、
前記第１ケースカバーは、カバー側開口部を有し、
前記ボトムプレートは、ボトムプレート側開口部を有し、
上方から見て、前記開口部は、前記カバー側開口部及び前記ボトムプレート側開口部の少なくとも一部が重なることで形成され、
前記結合部は、前記第１ケース本体に固定されている、バッテリパック。
【請求項２】
複数のバッテリセルが積層された下バッテリモジュールと、
複数のバッテリセルが積層された上バッテリモジュールと、
前記上バッテリモジュールと前記下バッテリモジュールとの間に位置するプレート部と、
前記下バッテリモジュールと電気的に接続される第１導電部と、
前記上バッテリモジュールと電気的に接続される第２導電部と、
前記第１導電部と前記第２導電部とを電気的に結合する結合部と、を備えるバッテリパックであって、
前記プレート部は、上下方向に貫通する開口部を有し、
上方から見て、前記結合部は、前記開口部の内側に位置し、
前記バッテリパックは、
前記下バッテリモジュールを収容する第１ケース本体と、該第１ケース本体の上方の開口部を覆う第１ケースカバーと、を備える第１ケースと、
前記第１ケースカバーの上方に設けられ、且つ、前記上バッテリモジュールを収容する第２ケースと、をさらに備え、
前記プレート部は、前記第１ケースカバーと前記第２ケースのボトムプレートとから構成されており、
前記第１ケースカバーは、カバー側開口部を有し、
前記ボトムプレートは、ボトムプレート側開口部を有し、
上方から見て、前記開口部は、前記カバー側開口部及び前記ボトムプレート側開口部の少なくとも一部が重なることで形成され、
前記結合部は、端子台を介して前記第１ケース本体の端子台固定部に固定されており、
前記端子台固定部は、前記第１ケース本体の底面から上方に突出し、
前記端子台の上面は、前記カバー側開口部の周縁部よりも上方に位置する、バッテリパック。
【請求項３】
請求項２に記載のバッテリパックであって、
前記ボトムプレート側開口部には、止水壁が設けられ、
前記止水壁には、前記端子台を避けて前記第１ケースの内部に水分を案内する排水ガイド部が設けられている、バッテリパック。
【請求項４】
請求項３に記載のバッテリパックであって、
前記バッテリパックは、
前記第２ケースの内部から前記開口部に向かって延びる上部ハーネスと、
前記第１ケースの内部から前記開口部に向かって延びる下部ハーネスと、を備え、
前記上部ハーネスの上部ハーネスコネクタ及び前記下部ハーネスの下部ハーネスコネクタの一方には、前記端子台に設けられた端子台側固定部に固定されるハーネス側固定部が設けられ、
前記下部ハーネスコネクタには、前記上部ハーネスコネクタが上方から挿入されるハーネス挿入部が設けられ、
前記ハーネス挿入部は、前記ハーネス側固定部が前記端子台側固定部に固定された状態で、前記止水壁の上端よりも上方に位置する、バッテリパック。
【請求項５】
請求項４に記載のバッテリパックであって、
前記第１ケース本体には、前記下部ハーネスが固定されるブラケットが設けられ、
前記ブラケットは、上下方向に延びるブラケット壁部を有し、
前記排水ガイド部は、前記ブラケット壁部を挟んで前記下部ハーネスと反対側に位置している、バッテリパック。
【請求項６】
複数のバッテリセルが積層された下バッテリモジュールと、
複数のバッテリセルが積層された上バッテリモジュールと、
前記上バッテリモジュールと前記下バッテリモジュールとの間に位置するプレート部と、
前記下バッテリモジュールと電気的に接続される第１導電部と、
前記上バッテリモジュールと電気的に接続される第２導電部と、
前記第１導電部と前記第２導電部とを電気的に結合する結合部と、を備えるバッテリパックであって、
前記プレート部は、上下方向に貫通する開口部を有し、
上方から見て、前記結合部は、前記開口部の内側に位置し、
前記バッテリパックは、
前記下バッテリモジュールを収容する第１ケース本体と、該第１ケース本体の上方の開口部を覆う第１ケースカバーと、を備える第１ケースと、
前記第１ケースカバーの上方に設けられ、且つ、前記上バッテリモジュールを収容する第２ケースと、をさらに備え、
前記プレート部は、前記第１ケースカバーと前記第２ケースのボトムプレートとから構成されており、
前記第１ケースカバーは、カバー側開口部を有し、
前記ボトムプレートは、ボトムプレート側開口部を有し、
上方から見て、前記開口部は、前記カバー側開口部及び前記ボトムプレート側開口部の少なくとも一部が重なることで形成され、
前記第１ケースカバーと前記ボトムプレートとの間には、温調媒体が流れる温調流路が設けられている、バッテリパック。
【発明の詳細な説明】
【技術分野】
【０００１】
本発明は、電動車両などに搭載されるバッテリパックに関する。
【背景技術】
【０００２】
近年、駆動源としてエンジンのみを搭載したガソリン車に代わって、モータを駆動源とする電気自動車、エンジン及びバッテリを駆動源とするハイブリッド自動車等の電動車両が知られている。これらの電動車両では、モータに電力を供給するバッテリを搭載する。
【０００３】
このような電動車両では、モータで走行できる走行距離を伸ばすためには、より多くのバッテリを搭載する必要がある。より多くのバッテリを搭載するためには、それぞれバッテリを収容した２つのモジュールをプレート部を挟んで上下方向に重ねて固定することで、１つのバッテリパックを構成することが考えられる（例えば、特許文献１）。
【０００４】
また、特許文献２に記載では、上下方向に重ねて配置されたモジュールのハーネスを冷却ダクトのダクト用開口に挿入して誤配索を防止することが記載されている。
【先行技術文献】
【特許文献】
【０００５】
【特許文献１】特開２０１５−８８３１２号公報
【特許文献２】特開２０１７−１７４７０２号公報
【発明の概要】
【発明が解決しようとする課題】
【０００６】
しかし、特許文献１、２に記載のバッテリパックでは、プレート部を挟んで上下方向に重ねて配置されたモジュールの導電部同士を結合する結合作業及びメンテナンス性の点で改善の余地があった。
【０００７】
本発明は、プレート部を挟んで上下方向に重ねて配置されたモジュールの導電部同士を結合する結合作業及びメンテナンス作業が容易なバッテリパックを提供する。
【課題を解決するための手段】
【０００８】
本発明の第１は、
複数のバッテリセルが積層された下バッテリモジュールと、
複数のバッテリセルが積層された上バッテリモジュールと、
前記上バッテリモジュールと前記下バッテリモジュールとの間に位置するプレート部と、
前記下バッテリモジュールと電気的に接続される第１導電部と、
前記上バッテリモジュールと電気的に接続される第２導電部と、
前記第１導電部と前記第２導電部とを電気的に結合する結合部と、を備えるバッテリパックであって、
前記プレート部は、上下方向に貫通する開口部を有し、
上方から見て、前記結合部は、前記開口部の内側に位置し、
前記バッテリパックは、
前記下バッテリモジュールを収容する第１ケース本体と、該第１ケース本体の上方の開口部を覆う第１ケースカバーと、を備える第１ケースと、
前記第１ケースカバーの上方に設けられ、且つ、前記上バッテリモジュールを収容する第２ケースと、をさらに備え、
前記プレート部は、前記第１ケースカバーと前記第２ケースのボトムプレートとから構成されており、
前記第１ケースカバーは、カバー側開口部を有し、
前記ボトムプレートは、ボトムプレート側開口部を有し、
上方から見て、前記開口部は、前記カバー側開口部及び前記ボトムプレート側開口部の少なくとも一部が重なることで形成され、
前記結合部は、前記第１ケース本体に固定されている。
本発明の第２は、
複数のバッテリセルが積層された下バッテリモジュールと、
複数のバッテリセルが積層された上バッテリモジュールと、
前記上バッテリモジュールと前記下バッテリモジュールとの間に位置するプレート部と、
前記下バッテリモジュールと電気的に接続される第１導電部と、
前記上バッテリモジュールと電気的に接続される第２導電部と、
前記第１導電部と前記第２導電部とを電気的に結合する結合部と、を備えるバッテリパックであって、
前記プレート部は、上下方向に貫通する開口部を有し、
上方から見て、前記結合部は、前記開口部の内側に位置し、
前記バッテリパックは、
前記下バッテリモジュールを収容する第１ケース本体と、該第１ケース本体の上方の開口部を覆う第１ケースカバーと、を備える第１ケースと、
前記第１ケースカバーの上方に設けられ、且つ、前記上バッテリモジュールを収容する第２ケースと、をさらに備え、
前記プレート部は、前記第１ケースカバーと前記第２ケースのボトムプレートとから構成されており、
前記第１ケースカバーは、カバー側開口部を有し、
前記ボトムプレートは、ボトムプレート側開口部を有し、
上方から見て、前記開口部は、前記カバー側開口部及び前記ボトムプレート側開口部の少なくとも一部が重なることで形成され、
前記結合部は、端子台を介して前記第１ケース本体の端子台固定部に固定されており、
前記端子台固定部は、前記第１ケース本体の底面から上方に突出し、
前記端子台の上面は、前記カバー側開口部の周縁部よりも上方に位置する。
本発明の第３は、
複数のバッテリセルが積層された下バッテリモジュールと、
複数のバッテリセルが積層された上バッテリモジュールと、
前記上バッテリモジュールと前記下バッテリモジュールとの間に位置するプレート部と、
前記下バッテリモジュールと電気的に接続される第１導電部と、
前記上バッテリモジュールと電気的に接続される第２導電部と、
前記第１導電部と前記第２導電部とを電気的に結合する結合部と、を備えるバッテリパックであって、
前記プレート部は、上下方向に貫通する開口部を有し、
上方から見て、前記結合部は、前記開口部の内側に位置し、
前記バッテリパックは、
前記下バッテリモジュールを収容する第１ケース本体と、該第１ケース本体の上方の開口部を覆う第１ケースカバーと、を備える第１ケースと、
前記第１ケースカバーの上方に設けられ、且つ、前記上バッテリモジュールを収容する第２ケースと、をさらに備え、
前記プレート部は、前記第１ケースカバーと前記第２ケースのボトムプレートとから構成されており、
前記第１ケースカバーは、カバー側開口部を有し、
前記ボトムプレートは、ボトムプレート側開口部を有し、
上方から見て、前記開口部は、前記カバー側開口部及び前記ボトムプレート側開口部の少なくとも一部が重なることで形成され、
前記第１ケースカバーと前記ボトムプレートとの間には、温調媒体が流れる温調流路が設けられている。
【発明の効果】
【０００９】
本発明によれば、プレート部を挟んで上下方向に重ねて配置された上バッテリモジュールと下バッテリモジュールの導電部同士を結合する結合作業及びメンテナンス作業が容易になる。
【図面の簡単な説明】
【００１０】
【図１】本発明の一実施形態のバッテリパックの斜視図である。
【図２】図１のバッテリパックの分解斜視図である。
【図３】図１のバッテリパックの内部の要部平面図である。
【図４】図３のＡ−Ａ断面図である。
【図５】図４の要部拡大図である。
【図６】図３のＢ−Ｂ断面図である。
【図７】図６に示す下部ハーネスコネクタ及び上部ハーネスコネクタの斜視図である。
【発明を実施するための形態】
【００１１】
以下、本発明のバッテリパックの一実施形態を、添付図面に基づいて説明する。図面には、バッテリパックの前方をＦｒ、後方をＲｒ、左側をＬ、右側をＲ、上方をＵ、下方をＤ、として示す。なお、このバッテリパックの前後左右上下は、バッテリパックが搭載される車両の前後左右上下とは無関係である。
【００１２】
図１及び図２に示すように、本実施形態のバッテリパック１は、第１バッテリパック１０と、第１バッテリパック１０の上部に配置される第２バッテリパック２０と、を備える。
【００１３】
第１バッテリパック１０は、複数（この例では６つ）のバッテリモジュール（以下、「下バッテリモジュール」と称す）１１と、下バッテリモジュール１１を収容する第１ケース１０Ａと、を備える。第１ケース１０Ａは、第１ケース本体１２と、第１ケース本体１２の上方の開口部を塞ぐ第１ケースカバー１３と、により構成される。
【００１４】
６つの下バッテリモジュール１１のうち、４つの下バッテリモジュール１１（１１Ｒ）は、前後方向に長手方向を一致させて左右方向に並べて配置されている。残りの２つの下バッテリモジュール１１（１１Ｆ）は、左右方向に長手方向を一致させて左右方向に並べて配置されている。この例では、４つの下バッテリモジュール１１Ｒは、第１ケース本体１２の後部に配置され、その前方に２つの下バッテリモジュール１１Ｆが配置されている。
【００１５】
各下バッテリモジュール１１は、複数のバッテリセル１１ａを長手方向に積層することで構成される下セル積層体４と、下セル積層体４の長手方向の両側に配置された一対のエンドプレート１５と、を備える。
【００１６】
第２バッテリパック２０は、２つのバッテリモジュール（以下、「上バッテリモジュール」と称す）２１と、上バッテリモジュール２１を収容する第２ケース２０Ａと、を備える。第２ケース２０Ａは、２つの上バッテリモジュール２１が設置されるボトムプレート２３と、ボトムプレート２３を覆う第２ケースカバー２４と、を備える。
【００１７】
上バッテリモジュール２１は、左右方向に長手方向を一致させて左右方向に並べて配置されている。各上バッテリモジュール２１は、複数のバッテリセル２１ａを長手方向に積層することで構成される上セル積層体５と、上セル積層体５の長手方向の両側に配置された一対のエンドプレート２５と、を備える。
【００１８】
第１ケースカバー１３の左右方向の両端近傍には、カバー側開口部１３ａが設けられている。第２バッテリパック２０のボトムプレート２３の左右方向の両端近傍には、第１ケースカバー１３のカバー側開口部１３ａと上下方向に連通するボトムプレート側開口部２３ａが設けられている。カバー側開口部１３ａ及びボトムプレート側開口部２３ａは、上方から見て少なくとも一部が重なることで、開口部３０を形成している。なお、開口部３０は、第２ケースカバー２４で覆われており、外部からはアクセスできないように構成される。
【００１９】
第１バッテリパック１０に収容された６つの下バッテリモジュール１１と第２バッテリパック２０に収容された２つの上バッテリモジュール２１とは開口部３０を挿通する下部バスバー１４及び上部バスバー２６を介して電気的に接続される。より具体的に説明すると、図３〜図５に示すように、下バッテリモジュール１１には下部バスバー１４の一端部が電気的に接続されており、上バッテリモジュール２１には上部バスバー２６の一端部が電気的に接続されている。また、下部バスバー１４の他端部と上部バスバー２６の他端部とは、結合部４０にて電気的に結合されている。図３に示すように、結合部４０は、上方から見て開口部３０の内側に位置している。
【００２０】
すなわち、本実施形態では、第１ケースカバー１３とボトムプレート２３とにより構成されたプレート部５０を挟んで上バッテリモジュール２１と下バッテリモジュール１１とが設けられ、プレート部５０に上下方向に貫通する開口部３０が設けられる。また、開口部３０の内側に、下部バスバー１４と上部バスバー２６とを電気的に結合する結合部４０が位置している。
【００２１】
上記構成によれば、下バッテリモジュール１１と電気的に接続される下部バスバー１４と、上バッテリモジュール２１と電気的に接続される上部バスバー２６と、を電気的に結合する結合部４０が、プレート部５０に設けられた開口部３０の内側に位置するので、下部バスバー１４と上部バスバー２６との結合作業を容易にできる。これにより、バッテリパック１の組付け及びメンテナンス作業が容易になる。
【００２２】
また、第１バッテリパック１０と第２バッテリパック２０とは、各々別体に構成され、ボルト等の締結部材で互いに固定される。具体的には、第１ケース１０Ａの第１ケースカバー１３と第２ケース２０Ａのボトムプレート２３とが締結部材で固定される。この構成によれば、第１バッテリパック１０と第２バッテリパック２０とを別々に取り扱うことができるので、バッテリパック１の取り扱い性が向上する。
【００２３】
図４及び図５に示すように、結合部４０は、端子台４１を介して第１ケース本体１２の端子台固定部４２に固定されている。図４に示すように、端子台固定部４２は、第１ケース本体１２の底面１２ａから上方に突出している。図５に示すように、端子台４１の上面４１ａは、カバー側開口部１３ａの周縁部１３ｂよりも上方に位置している。即ち、端子台４１の上面４１ａは、カバー側開口部１３ａの周縁部１３ｂよりも高さＨ１だけ上方に位置している。このように、結合部４０を第１ケース本体１２に固定することで、部品点数を増やさずに結合部４０を保持することができる。また、結合部４０を第１ケース本体１２に固定する端子台４１が、端子台固定部４２によってカバー側開口部１３ａの周縁部１３ｂよりも上方に位置しているので、端子台４１への下部バスバー１４及び上部バスバー２６の固定作業が容易になる。
【００２４】
図３〜図６に示すように、ボトムプレート側開口部２３ａには、開口部３０への水分の浸入を阻害する止水壁２７が設けられる。さらに、図３及び図６に示すように、止水壁２７には、端子台４１を避けて第１ケース１０Ａの内部に水分を案内する排水ガイド部２７ａが設けられている。本実施形態では、排水ガイド部２７ａが端子台４１よりも左右方向において右側にオフセットして配置されている。この構成により、水分の排出を制御することができ、端子台４１への水の浸入を防止できる。
【００２５】
図６に示すように、バッテリパック１は、第２ケース２０Ａの内部から開口部３０に向かって延びる上部ハーネス２８と、第１ケース１０Ａの内部から開口部３０に向かって延びる下部ハーネス１６と、を備える。上部ハーネス２８には上部ハーネスコネクタ４３が設けられ、下部ハーネス１６には下部ハーネスコネクタ４４が設けられている。
【００２６】
図４及び図５に示すように、下部ハーネスコネクタ４４にはハーネス側固定部２９が設けられ、ハーネス側固定部２９が端子台４１に設けられた端子台側固定部４５に固定されている。
【００２７】
図７に示すように、下部ハーネスコネクタ４４には、上部ハーネスコネクタ４３が上方から挿入されるハーネス挿入部４４ａが設けられている。ハーネス挿入部４４ａの上端は、ハーネス側固定部２９が端子台側固定部４５に固定された状態で（図４参照）、止水壁２７の上端よりも上方に位置する。
【００２８】
このように、端子台４１にハーネス側固定部２９が固定される端子台側固定部４５が設けられていることにより、部品点数を増やすことなく上部ハーネスコネクタ４３及び下部ハーネスコネクタ４４を保持することができる。また、下部ハーネスコネクタ４４には、上部ハーネスコネクタ４３が上方から挿入されるハーネス挿入部４４ａが設けられるので、上部ハーネスコネクタ４３と下部ハーネスコネクタ４４との結合作業が容易になる。さらに、ハーネス挿入部４４ａは、ハーネス側固定部２９が端子台側固定部４５に固定された状態で、止水壁２７の上端よりも上方に位置するので、上部ハーネスコネクタ４３及び下部ハーネスコネクタ４４の内部に水が浸入するのを抑制できる。
【００２９】
図６に示すように、第１ケース本体１２には、下部ハーネス１６が固定されるブラケット４６が設けられている。ブラケット４６は、後部の下バッテリモジュール１１Ｒと前部の下バッテリモジュール１１Ｆとの間に立設され、上下方向に延びるブラケット壁部４６ａを有している。下部ハーネス１６は、ケーブルクランプ付きのクリップ４８によりブラケット壁部４６ａに保持される。排水ガイド部２７ａは、下バッテリモジュール１１Ｒ側に設けられた下部ハーネス１６に対し、ブラケット壁部４６ａを挟んで反対側（下バッテリモジュール１１Ｆ側）に位置している。このように、排水ガイド部２７ａが、ブラケット壁部４６ａを挟んで下部ハーネス１６と反対側に位置することで、排水ガイド部２７ａに案内された排水が下部ハーネス１６にかかることを防止できる。
【００３０】
図４〜図６に示すように、第１ケースカバー１３とボトムプレート２３との間には、温調媒体が流れる温調流路６０が設けられている。温調媒体は、水、油、ＡＴＦ（Automatic Transmission Fluid）等の液状媒体であってもよく、空気等の気体であってもよい。言い換えると、温調流路４０は水冷式でもよく、空冷式でもよい。このように、第１ケースカバー１３とボトムプレート２３との間の空間に温調流路６０を設けることで、上バッテリモジュール２１内の上セル積層体５を少ない部品点数で効果的に冷却することができる。
【００３１】
なお、本発明は、前述した実施形態に限定されるものではなく、適宜、変形、改良、等が可能である。
【００３２】
例えば、開口部３０を構成するカバー側開口部１３ａ及びボトムプレート側開口部２３ａは、上方から見て完全に重なっている必要はなく、カバー側開口部１３ａ及びボトムプレート側開口部２３ａの少なくとも一部が重なっていればよい。
【００３３】
また、本明細書には少なくとも以下の事項が記載されている。なお、括弧内には、上記した実施形態において対応する構成要素等を示しているが、これに限定されるものではない。
【００３４】
（１）  複数のバッテリセル（バッテリセル１１ａ）が積層された下バッテリモジュール（下バッテリモジュール１１）と、
複数のバッテリセル（バッテリセル２１ａ）が積層された上バッテリモジュール（上バッテリモジュール２１）と、
前記上バッテリモジュールと前記下バッテリモジュールとの間に位置するプレート部（プレート部５０）と、
前記下バッテリモジュールと電気的に接続される第１導電部（下部バスバー１４）と、
前記上バッテリモジュールと電気的に接続される第２導電部（上部バスバー２６）と、
前記第１導電部と前記第２導電部とを電気的に結合する結合部（結合部４０）と、を備えるバッテリパック（バッテリパック１）であって、
前記プレート部は、上下方向に貫通する開口部（開口部３０）を有し、
上方から見て、前記結合部は、前記開口部の内側に位置する、バッテリパック。
【００３５】
（１）によれば、下バッテリモジュールと電気的に接続される第１導電部と、上バッテリモジュールと電気的に接続される第２導電部と、を電気的に結合する結合部が、プレート部に設けられた開口部の内側に位置するので、導電部同士の結合作業を容易にできる。これにより、バッテリパックのメンテナンス作業が容易になる。
【００３６】
（２）  （１）に記載のバッテリパックであって、
前記バッテリパックは、
前記下バッテリモジュールを収容する第１ケース本体（第１ケース本体１２）と、該第１ケース本体の上方の開口部を覆う第１ケースカバー（第１ケースカバー１３）と、を備える第１ケース（第１ケース１０Ａ）と、
前記第１ケースカバーの上方に設けられ、且つ、前記上バッテリモジュールを収容する第２ケース（第２ケース２０Ａ）と、を備え、
前記プレート部は、前記第１ケースカバーと前記第２ケースのボトムプレート（ボトムプレート２３）とから構成されており、
前記第１ケースカバーは、カバー側開口部（カバー側開口部１３ａ）を有し、
前記ボトムプレートは、ボトムプレート側開口部（ボトムプレート側開口部２３ａ）を有し、
上方から見て、前記開口部は、前記カバー側開口部及び前記ボトムプレート側開口部の少なくとも一部が重なることで形成されている、バッテリパック。
【００３７】
（２）によれば、第１ケースと第２ケースとが分離されていることにより、第１ケースと第２ケースとを別々に取り扱うことができ、取り扱い性がよい。
【００３８】
（３）  （２）に記載のバッテリパックであって、
前記結合部は、前記第１ケース本体に固定されている、バッテリパック。
【００３９】
（３）によれば、結合部を第１ケースの第１ケース本体に固定することで、部品点数を増やさずに結合部を保持することができる。
【００４０】
（４）  （２）又は（３）に記載のバッテリパックであって、
前記結合部は、端子台（端子台４１）を介して前記第１ケース本体の端子台固定部（端子台固定部４２）に固定されており、
前記端子台固定部は、前記第１ケース本体の底面（底面１２ａ）から上方に突出し、
前記端子台の上面（上面４１ａ）は、前記カバー側開口部の周縁部（周縁部１３ｂ）よりも上方に位置する、バッテリパック。
【００４１】
（４）によれば、端子台を端子台固定部を用いてカバー側開口部の周縁部よりも上方に位置させることで、端子台への第１導電部及び第２導電部の固定を容易にできる。
【００４２】
（５）  （４）に記載のバッテリパックであって、
前記ボトムプレート側開口部には、止水壁（止水壁２７）が設けられ、
前記止水壁には、前記端子台を避けて前記第１ケースの内部に水分を案内する排水ガイド部（排水ガイド部２７ａ）が設けられている、バッテリパック。
【００４３】
（５）によれば、ボトムプレート側開口部に設けられる止水壁に、端子台を避けて第１ケースの内部に水分を案内する排水ガイド部が設けられているので、端子台への水の浸入を防止できる。
【００４４】
（６）  （５）に記載のバッテリパックであって、
前記第２ケースの内部から前記開口部に向かって延びる上部ハーネス（上部ハーネス２８）と、
前記第１ケースの内部から前記開口部に向かって延びる下部ハーネス（下部ハーネス１６）と、を備え、
前記上部ハーネスの上部ハーネスコネクタ及び前記下部ハーネスの下部ハーネスコネクタの一方には、前記端子台に設けられた端子台側固定部（端子台側固定部４５）に固定されるハーネス側固定部（ハーネス側固定部２９）が設けられ、
前記下部ハーネスコネクタには、前記上部ハーネスコネクタが上方から挿入されるハーネス挿入部（ハーネス挿入部４４ａ）が設けられ、
前記ハーネス挿入部は、前記ハーネス側固定部が前記端子台側固定部に固定された状態で、前記止水壁の上端よりも上方に位置する、バッテリパック。
【００４５】
（６）によれば、端子台にハーネス側固定部が固定される端子台側固定部が設けられているので、部品点数を増やすことなく上部ハーネスコネクタ及び下部ハーネスコネクタを保持することができる。また、下部ハーネスコネクタには、上部ハーネスコネクタが上方から挿入されるハーネス挿入部が設けられるので、上部ハーネスコネクタと下部ハーネスコネクタとの結合作業が容易になる。さらに、ハーネス挿入部は、ハーネス側固定部が端子台側固定部に固定された状態で、止水壁の上端よりも上方に位置するので、コネクタの内部に水が浸入するのを抑制できる。
【００４６】
（７）  （６）に記載のバッテリパックであって、
前記第１ケース本体には、前記下部ハーネスが固定されるブラケット（ブラケット４６）が設けられ、
前記ブラケットは、上下方向に延びるブラケット壁部（ブラケット壁部４６ａ）を有し、
前記排水ガイド部は、前記ブラケット壁部を挟んで前記下部ハーネスと反対側に位置している、バッテリパック。
【００４７】
（７）によれば、排水ガイド部は、ブラケット壁部を挟んで下部ハーネスと反対側に位置しているので、排水ガイド部に案内された排水が下部ハーネスにかかることを防止できる。
【００４８】
（８） （２）〜（７）のいずれかに記載のバッテリパックであって、
前記第１ケースカバーと前記ボトムプレートとの間には、温調媒体が流れる温調流路（温調流路６０）が設けられている、バッテリパック。
【００４９】
（８）によれば、上バッテリモジュールを少ない部品点数で効果的に冷却することができる。
【符号の説明】
【００５０】
１  バッテリパック
１０Ａ  第１ケース
１１  下バッテリモジュール
１１ａ  バッテリセル
１２  第１ケース本体
１２ａ  底面
１３  第１ケースカバー
１３ａ  カバー側開口部
１３ｂ  周縁部
１４  下部バスバー（第１導電部）
１６  下部ハーネス
２０Ａ  第２ケース
２１ａ  バッテリセル
２１  上バッテリモジュール
２３  ボトムプレート
２３ａ  ボトムプレート側開口部
２６  上部バスバー（第２導電部）
２７  止水壁
２７ａ  排水ガイド部
２８  上部ハーネス
２９  ハーネス側固定部
３０  開口部
４０  結合部
４１  端子台
４１ａ  上面
４２  端子台固定部
４４ａ  ハーネス挿入部
４５  端子台側固定部
５０  プレート部
６０  温調流路
【図１】
0006967564.tif 000002
【図２】
0006967564.tif 000003
【図３】
0006967564.tif 000004
【図４】
0006967564.tif 000005
【図５】
0006967564.tif 000006
【図６】
0006967564.tif 000007
【図７】
0006967564.tif 000008